(57)【要約】 【課題】  シール部材の着脱操作および係止状態の確認を容易にした防水コネクタを提供する。【解決手段】  両コネクタハウジング間にシール部材を用いて、外部からの水の進入を規制した防水コネクタにおいて、シール部材と一方のコネクタハウジングとの係止箇所を外部に露出した位置に設けることで、容易に係止状況を確認可能とした。また、被係止部に差し込み孔を設けて、これに嵌合可能な軸部とその先端には、張り出し成形された鍔部を設けたから、被係止部が鍔部と端子収容部との間で挟み付けが可能となり、正規の係止状況を確認することが可能となった。【選択図】  図８
2006127904.tif 000002
【特許請求の範囲】
【請求項１】
嵌合可能な一対のコネクタハウジングのうち、一方のコネクタハウジングには端子収容部を有し、前記端子収容部を覆うようにして筒部を備え、この筒部の外面奥部には他方のコネクタハウジングとの間のシールを行うシール部材が嵌め付けられた防水コネクタにおいて、
前記筒部と前記端子収容部とを連結する奥壁には、前記シール部材の嵌め付け方向に貫く開口窓を設け、前記端子収容部の外面で、かつ前記開口窓の外方に係止部を露出状態で設け、前記シール部材は、前記端子収容部の外面に嵌合可能なリング状のシール本体とシール本体から一体延出された被係止部とからなり、前記被係止部は、前記開口窓を通して前記筒部の外方へ突出して、前記係止部と係止可能となっていることを特徴とする防水コネクタ。
【請求項２】
前記係止部は、前記端子収容部の外面から突出形成する軸部と、その軸部の先端部分に張り出す鍔部とからなる一方、前記被係止部は、前記軸部と前記鍔部とに係止することで、前記シール部材の抜け方向の移動および前記被係止部が前記軸部の突出方向へ移動するのを規制可能となっていることを特徴とする請求項１記載の防水コネクタ。
【請求項３】
前記被係止部は、前記軸部に対し、前記鍔部側から挿通可能な差し込み孔であることを特徴とする請求項１または請求項２記載の防水コネクタ。
【発明の詳細な説明】
【技術分野】
【０００１】
本発明は、防水コネクタに使用するシール部材およびハウジングの構造に関する。
【背景技術】
【０００２】
防水機能を備えたコネクタとしては、下記特許文献１に示すものが知られている。このコネクタは、嵌合部分においてリング状のシール部材が使用されており、外部からの水の進入を規制している。このシール部材には、被保持部が一体となって設けられており、シール部材をハウジング内に押し込んだ後、この被保持部と係止可能な保持部材を、ハウジングの側方から別体部品として嵌め込むことによって、シール部材が外れる方向に作用することを規制したものである。この方法によると、シール部材の取り付けに際して、シール部材を弾性変形させる必要がないため、押し込む力が小さくて済む。また、被保持部は変形を規制可能なように両側から挟み付けられた構造をとるため、シール部材の外れ規制の強化が図られている。
【特許文献１】特許第３４２２４０５号公報
【発明の開示】
【発明が解決しようとする課題】
【０００３】
しかしながら、別体部品として保持部材を取り付ける方法は、工数が増加するためコスト面で不利なことに加え、取り付け方法が複雑となり作業効率が低下する。
【０００４】
本発明は上記のような事情に基づいて完成されたものであって、部品点数の削減とシール部材の装着状況を確認することができる防水コネクタを提供することを目的とする。
【課題を解決するための手段】
【０００５】
上記の目的を達成するための手段として、嵌合可能な一対のコネクタハウジングのうち、一方のコネクタハウジングには端子収容部を有し、前記端子収容部を覆うようにして筒部を備え、この筒部の外面奥部には他方のコネクタハウジングとの間のシールを行うシール部材が嵌め付けられた防水コネクタにおいて、前記筒部と前記端子収容部とを連結する奥壁には、前記シール部材の嵌め付け方向に貫く開口窓を設け、前記端子収容部の外面で、かつ前記開口窓の外方に係止部を露出状態で設け、前記シール部材は、前記端子収容部の外面に嵌合可能なリング状のシール本体とシール本体から一体延出された被係止部とからなり、前記被係止部は、前記開口窓を通して前記筒部の外方へ突出して、前記係止部と係止可能となっていることを特徴とする。
【０００６】
請求項２の発明は、請求項１に記載のものにおいて、前記係止部は、前記端子収容部の外面から突出形成する軸部と、その軸部の先端部分に張り出す鍔部とからなる一方、前記被係止部は、前記軸部と前記鍔部とに係止することで、前記シール部材の抜け方向の移動および前記被係止部が前記軸部の突出方向へ移動するのを規制可能となっていることを特徴とする。
【０００７】
請求項３の発明は、請求項１または請求項２に記載のものにおいて、前記被係止部は、前記軸部に対し、前記鍔部側から挿通可能な差し込み孔であることを特徴とする。
【発明の効果】
【０００８】
＜請求項１の発明＞
請求項１に記載した発明によると、シール部材を係止する係止部が、ハウジングと一体であるため部品点数の削減および係止部は外部から露出した位置に配されているからシール部材の装着状況を容易に把握することができる。
【０００９】
＜請求項２の発明＞
請求項２に記載した発明によると、シール部材を係止させた時に、鍔部が外部から視認できることをもって、正規の係止状況が得られたことを判断可能となる。
【００１０】
＜請求項３の発明＞
請求項３に記載した発明によると、被係止部を孔形状によって実現したため、全周が係止面とすることができる。
【発明を実施するための最良の形態】
【００１１】
＜実施形態１＞
本発明の実施形態１を図１ないし図８によって説明する。尚、以下の説明において、上下方向とは、図４における上下方向とし、幅方向とは、図４における左右方向とし、前後方向については、図４における紙面と直交する方向とし、嵌合面側を前方向とする。
【００１２】
本実施形態における防水コネクタの雄コネクタハウジング２０（以下、雄ハウジング２０という）は、本体部２３から前方に突出形成された筒状のフード部２１を備えており、フード部２１内の奥面からは、タブ状をなす２本の雄端子（図示しない）が、突出されている。また、フード部２１の両側面には、雌雄両コネクタハウジングの嵌合の案内と上下反転の誤嵌合を防止するためのガイドリブ２２が突出形成されている。
【００１３】
雌コネクタハウジング１（以下、雌ハウジング１という）は、断面略長方形をなす端子収容部６の前半部の外面に筒部３が覆われた形状であり、端子収容部６と筒部３との間に雄ハウジング２０のフード部２１が嵌合可能である。また、筒部３の幅方向における両内側面には、ガイドリブ２２の形状に適合して挿入可能なガイド溝１１が長さ方向の全長に亘って、凹み形成されている。端子収容部６内には、２個のキャビティ１０が、上記した雄端子と同じピッチで横方向に並列して配されている。各キャビティ１０の底面にはランス８が形成されている。
【００１４】
雌端子（図示しない、以下省略）はキャビティ１０内に後方から挿入され、ランス８を撓み変形させつつ押し込まれて正規位置まで挿入されると、弾性復帰したランス８により係止される。なお９は、両ハウジング１，２０をロック状態に保持するためのロックアームである。
【００１５】
続いて、外部から水が進入することを規制するために設けられたシール部材３０およびその取り付けの構造について説明する。シール部材３０は、ゴム材により一体に形成されており、端子収容部６の外面に沿って嵌着可能な角筒状をしたシール本体３２と、両短辺部分からそれぞれ後方へ延出された被係止部３１とから構成されている。シール本体３２の外周には、図２に示すように、端子収容部６とフード部２１との間の密着性を高めるために、シール突部３３がシール本体３２の外周に沿って前後方向に２列並んで突出形成されている。一方、被係止部３１は、略中央部には略円形の貫通孔３４が設けられており、端子収容部６の外面に設けられた係止部２に差し込み可能である。また、被係止部３１において、貫通孔３４を含む先端側は付け根に比べて薄肉に形成され、その境界部には、図２に示すように、段差部３５が設けられている。さらに、被係止部３１の内側面の先端部分は、角が削られて傾斜となっており、シール部材３０を端子収容部６に嵌め込むための案内をしている。
【００１６】
一方、筒部３と端子収容部６とを連結している奥壁のうち、幅方向の両側面には、前後方向に開口した開口窓４が設けられており、この開口窓４に対して前方から被係止部３１が挿入可能とされている。そして、端子収容部６の外面のうち、開口窓４より後方部分は装着部５とされている。この装着部５は、開口窓４とほぼ同じ上下寸法をもち、端子収容部６の後端に至る長さ領域に亘って、周囲よりも一段低く形成されている。また、装着部５の上下方向の寸法は、被係止部３１の寸法とほぼ等しく設定されており、シール部材３０が雌ハウジング１に装着された状態では、装着部５の上下方向の振れ止めを可能にしている。また、装着部５の前部には壁面と直角に係止部２が突出形成されており、その全体が外部から露出した状態とされている。係止部２は、被係止部３１の貫通孔３４に適合して係止可能な断面略円形をなす軸部２Ａを有しており、また、その先端部分には、先端にかけて細くなるように傾斜がつけられた鍔部２Ｂが張り出し形成されている。鍔部２Ｂは、端子収容部６との間で、被係止部３１を挟み付け可能なよう、高さ設定がされている。さらに、係止部２は、装着部５の深さ寸法よりも小さめの高さ寸法に設定されているため、損傷を受けることを回避可能とし、係止部２と被係止部３１とが係止された状態においては、外部から力が加わることによって、不用意に係止状態が解除されることを規制している。また、装着部５において、係止部２の前端側は後端側よりも低く形成されて突き当て面１３が設けられている。この突き当て面１３は、係止部２を軸方向から見たときに、その前端において、上下方向に引いた接線をなすように設けられている。
【００１７】
続いて、本実施形態の作用および効果を説明する。まず、雌ハウジング１に対して雌端子をキャビティ１０の後方から挿入する。このとき、雌端子は、キャビティ１０の下面に設けられたランス８を撓み変形させつつ進入し、正規の嵌合位置に到達すると、ランス８が弾性復帰し、係止される。
【００１８】
上記の作業に先立ち、あるいはその後にシール部材３０を雌ハウジング１に取り付ける。シール部材３０を、端子収容部６の外面に沿うようにして押し込み、被係止部３１を開口窓４を通して筒部３の外部へ突出させる。その後、貫通孔３４を係止部２に当てて嵌め入れる。このとき、貫通孔３４は拡開変形しつつ通過し、復帰すると、鍔部２Ｂによって係止されつつ、鍔部２Ｂと端子収容部６との間に挟み込まれた状態となる。こうして、シール部材３０は抜け方向の移動規制がなされるとともに、被係止部３１が軸部２Ａの突出方向へ移動して外れるのが規制される。
【００１９】
こうして雌コネクタ側の組み立てが完了すれば、雌雄のコネクタハウジング同士の嵌合がなされる。即ち、雄ハウジング２０のガイドリブ２２を雌ハウジング１のガイド溝１１に合わせるように位置決めし、フード部２１を、筒部３と端子収容部６との間に嵌め込む。フード部２１がシール部材３０の位置まで到達すると、シール突部３３によって押圧されるため、押し込みにかかる力が大きくなるが、そのまま押し込んでいくと、ロックアーム９によって、両ハウジング１，２０の嵌合状態がロックされる。このとき、両ハウジング１，２０の間は、シール部材３０によって密着された状態にあり、外部から水の進入が規制される。また、リペア等の理由により、両ハウジング１，２０を外すときには、シール部材３０が外れる方向に作用するが、係止部２によって係止されているため、外れることが規制される。
【００２０】
以上のように、本実施形態では、シール部材３０と端子収容部６との係止箇所を外部から露出した位置に設けることで、シール部材３０の装着状況を容易に把握することが可能となった。また、被係止部３１に差し込み孔を設けて、係止部２の鍔部２Ｂと端子収容部６との間に挟み付ける構成にしたから、正規の係止状況が得られたことを容易に確認することが可能となった。さらに、本実施形態では、被係止部３１に段差部３５を設け、シール部材３０の装着状態で雌ハウジング１側の突き当て面１３に線当たり状態で当接するようにしている。このため、例えば、雄コネクタハウジングのフード部２１の進入に伴って、シール部材３０に押し込み方向の力が作用しても、上記した段差部３５と突き当て面１３との当接によって、シール本体３２にシワが寄るのを規制し、良好なシール状態を確保することに寄与するという効果もある。
【００２１】
＜他の実施形態＞
本発明は上記記述及び図面によって説明した実施形態に限定されるものではなく、例えば次のような実施形態も本発明の技術的範囲に含まれ、さらに、下記以外にも要旨を逸脱しない範囲内で種々変更して実施することができる。
【００２２】
（１）本実施形態１では、被係止部の係止構造として、突部と貫通孔との嵌め合いによる構成を示したが、被係止部に爪形状を設定し、雌コネクタハウジング側にこの爪に引っ掛かる段差を設けるようにしてもよい。
【図面の簡単な説明】
【００２３】
【図１】シール部材の正面図
【図２】その一部破断平面図
【図３】その側面図
【図４】雌コネクタハウジングの正面図
【図５】その側面図
【図６】その背面図
【図７】雌コネクタハウジングの横断面図
【図８】雌雄コネクタハウジングの嵌合状態における横断面図
【符号の説明】
【００２４】
１…雌コネクタハウジング（一方のコネクタハウジング）
２…係止部
２Ａ…軸部
２Ｂ…鍔部
３…筒部
４…開口窓
５…装着部
６…端子収容部
２０…雄コネクタハウジング（他方のコネクタハウジング）
２１…フード部
３０…シール部材
３１…被係止部
３２…シール本体
【図１】
2006127904.tif 000003
【図２】
2006127904.tif 000004
【図３】
2006127904.tif 000005
【図４】
2006127904.tif 000006
【図５】
2006127904.tif 000007
【図６】
2006127904.tif 000008
【図７】
2006127904.tif 000009
【図８】
2006127904.tif 000010